(57)【要約】【課題】内視鏡を利用して処置具を用いるための内視鏡の処置具挿入部において、部品点数を減らして容易に組み立てが可能でコスト削減も可能となり、しかも処置具挿入口金の強度を十分に確保することができるようにすること。【解決手段】内視鏡の処置具挿通チャンネル３に処置具を挿入するために操作部１に突設された処置具挿入口金１８をジルコニア等のセラミックにより形成して、その奥側に配置された金属製筒状部材１５に当接する状態に組み付け固定した。【選択図】      図１
2005034464.tif 000002
【特許請求の範囲】
【請求項１】
処置具挿通チャンネルに処置具を挿入するために操作部に突設された処置具挿入口金をセラミックにより形成して、その奥側に配置された金属製筒状部材に当接する状態に組み付け固定したことを特徴とする内視鏡の処置具挿入部。
【請求項２】
上記処置具挿入口金と上記金属製筒状部材とが互いに嵌合する嵌合部を有してして、その嵌合部にシール部材が装着されている請求項１記載の内視鏡の処置具挿入部。
【請求項３】
上記処置具挿入口金と上記金属製筒状部材とが同一軸線上に直列に配置されていて、上記処置具挿入口金を外方から押圧する押圧部材によって上記処置具挿入口金と上記金属製筒状部材とが操作部に同時に押圧固定されている請求項１又は２記載の内視鏡の処置具挿入部。
【発明の詳細な説明】
【技術分野】
【０００１】
この発明は内視鏡の処置具挿入部に関する。
【背景技術】
【０００２】
内視鏡を利用して処置具を用いるために、内視鏡の挿入部内に挿通配置された処置具挿通チャンネルに処置具を挿入するための処置具挿入口金が、操作部に斜め上方に向けて突出する状態に配置されている。そのような処置具挿入口金は、強度を考慮してステンレス鋼等によって形成されている。
【０００３】
ただし、電気安全上から、内視鏡の挿入部と電気的に導通する操作部の内部部材と操作部の外面に露出する処置具挿入口金との間を絶縁する必要があるので、処置具挿入口金とその奥側の金属製筒状部材との間に電気絶縁性合成樹脂製のスペーサを挟み込んだ構造にしている（例えば、特許文献１）。
【特許文献１】特許第２９８４０３４号公報、第１図
【発明の開示】
【発明が解決しようとする課題】
【０００４】
しかし、上述のように、電気絶縁性を確保するだけのために処置具挿入口金の裏側に合成樹脂製のスペーサを挟み込むのは組み立て上面倒であり、また部品点数も多くなることからコスト高にもなっていた。
【０００５】
そこで本発明は、部品点数を減らして容易に組み立てが可能でコスト削減も可能となり、しかも処置具挿入口金の強度を十分に確保することができる内視鏡の処置具挿入部を提供することを目的とする。
【課題を解決するための手段】
【０００６】
上記の目的を達成するため、本発明の内視鏡の処置具挿入部は、処置具挿通チャンネルに処置具を挿入するために操作部に突設された処置具挿入口金をセラミックにより形成して、その奥側に配置された金属製筒状部材に当接する状態に組み付け固定したものである。
【０００７】
なお、処置具挿入口金と金属製筒状部材とが互いに嵌合する嵌合部を有してして、その嵌合部にシール部材が装着されていてもよく、処置具挿入口金と金属製筒状部材とが同一軸線上に直列に配置されていて、処置具挿入口金を外方から押圧する押圧部材によって処置具挿入口金と金属製筒状部材とが操作部に同時に押圧固定されていてもよい。
【発明の効果】
【０００８】
本発明によれば、処置具挿通チャンネルに処置具を挿入するために操作部に突設された処置具挿入口金をセラミックにより形成して、その奥側に配置された金属製筒状部材に当接する状態に組み付け固定したことにより、電気絶縁性のスペーサをなくすことができるので、部品点数を減らして容易に組み立てが可能でコスト削減も可能となり、しかも処置具挿入口金の強度を十分に確保することができる。
【発明を実施するための最良の形態】
【０００９】
ジルコニア等のセラミックにより形成した処置具挿入口金と金属製筒状部材とを同一軸線上に直列に重ね合わせて配置して、処置具挿入口金を外方から押圧する押圧ナットによって、処置具挿入口金と金属製筒状部材とを操作部に同時に押圧固定する。
【実施例】
【００１０】
図面を参照して本発明の実施例を説明する。
図１は内視鏡の操作部１を示しており、その下端には可撓管によって外装された挿入部２の基端が連結されている。
【００１１】
挿入部２内に全長にわたって挿通配置された例えば四フッ化エチレン樹脂チューブ等からなる処置具挿通チャンネル３の基端は操作部１内に導入されて、操作部１の下端付近から斜め上方に向けて突出形成された処置具挿入部４に至っている。
【００１２】
そして、処置具挿入部４の突端に斜め上方に向けて突出配置された処置具挿入口金１８が、処置具挿通チャンネル３と連通接続されており、処置具挿入口金１８から挿入した処置具が処置具挿通チャンネル３内に導かれる。５０は、処置具挿入口金１８に着脱自在に取り付けられたゴム製の鉗子栓である。
【００１３】
処置具挿入部４の根元付近の内部において処置具挿通チャンネル３から分岐された吸引チャンネル５は、操作部１の上半部に配置されている吸引操作弁６のシリンダ体７に接続されている。８は吸引操作釦である。
【００１４】
図２は処置具挿入部４付近を示しており、１′は電気絶縁性プラスチック製の操作部ハウジング、１″は金属製の操作部フレームである。なお、図２においては鉗子栓５０が処置具挿入口金１８から取り外されている。
【００１５】
３′は、ステンレス鋼製パイプを滑らかにカーブさせて処置具挿通チャンネル３の基端開口に接続されている接続管であり、処置具挿入部４の根元部分に配置されたステンレス鋼製の分岐接続部材１２に接続されている。
【００１６】
その分岐接続部材１２に形成されたＴ字状の管路の分岐端側には、接続パイプ５′を介して吸引チャンネル５が接続されている。分岐接続部材１２は、処置具挿入部４内に配置されている金属製筒状部材１５と螺合連結されている。１６は、その連結部に取り付けられたシール用Ｏリングである。
【００１７】
金属製筒状部材１５は、その上半部側に形成された鍔状部１５ａが処置具挿入部４に貫通形成されている孔の途中に形成された段部に引っ掛かることにより、処置具挿入部４の中間位置付近より奥に入ることができないようになっている。１７は、金属製筒状部材１５の外周面部分をシールするためのＯリングである。
【００１８】
処置具挿入口金１８は、処置具挿入部４内に潜っている部分と処置具挿入部４から突出する部分とが例えばジルコニア等のような機械強度に優れたセラミックにより一体に形成された構成になっていて、処置具挿入部４の口元付近に螺合する押圧ナット１９（押圧部材）によって外方から処置具挿入部４内に押圧固定されている。
【００１９】
処置具挿入口金１８と金属製筒状部材１５とは同一軸線上に直列に重ね合わさる状態に配置されて面どうしが当接する状態に配置されていて、処置具挿入口金１８を外方から押圧する押圧ナット１９により、処置具挿入口金１８と金属製筒状部材１５とが処置具挿入部４に同時に押圧固定されている。
【００２０】
したがって、押圧ナット１９は金属製であるが、処置具挿入部４の内部の金属部材とは電気的に完全に絶縁されている。２０は、押圧ナット１９の内周面と処置具挿入口金１８の外周面との間をシールするためのＯリングである。
【００２１】
処置具挿入口金１８と金属製筒状部材１５とは、処置具挿入部４内において互いに嵌合する嵌合部Ａを有していて、その嵌合部Ａにはシール用のＯリング２１が装着されている。なお、この実施例の嵌合部Ａにおいては、処置具挿入口金１８の内周面に金属製筒状部材１５の外周面が嵌合するようになっている。
【００２２】
このような構成により、処置具挿入口金１８から挿入された処置具（図示せず）が金属製筒状部材１５内から分岐接続部材１２内を通って、処置具挿通チャンネル３内に導かれ、処置具挿入口金１８がジルコニア等のようなセラミックで形成されていることにより、外部に突出する処置具挿入口金１８は操作部１内の金属部材とは電気絶縁状態にあり、しかも機械強度に優れているので処置具の挿脱等によって破損しない。
【図面の簡単な説明】
【００２３】
【図１】本発明の実施例の内視鏡の操作部の側面図である。
【図２】本発明の実施例の内視鏡の処置具挿入部の側面断面図である。
【符号の説明】
【００２４】
１  操作部
３  処置具挿通チャンネル
４  処置具挿入部
１５  金属製筒状部材
１８  処置具挿入口金
１９  押圧ナット
２０  Ｏリング
Ａ  嵌合部
【図１】
2005034464.tif 000003
【図２】
2005034464.tif 000004